(57)【要約】【課題】手軽に遊ぶことができる遊戯具を提供する。【解決手段】シート状のマット３と、マット３上に載置されるとともに両面の中央部がそれぞれ外力に向けて膨出した円盤状に形成された的駒５と、的駒５に向けて投擲されるドーナッツ状の投げ駒７とを備える遊戯具１であって、的駒５は、本体９とこの本体９の上部に埋設された重り１１とを備えている。【選択図】　　　図１
0003097039.tif 000002
【実用新案登録請求の範囲】
【請求項１】
シート状のマットと、前記マット上に載置されるとともに両面の中央部がそれぞれ外方に向けて膨出した円盤状に形成された的駒と、前記的駒に向けて投擲されるとともに、ドーナッツ状の投げ駒とを備える遊戯具であって、前記的駒は、本体とこの本体の端部に埋設された重りとを備えていることを特徴とする遊戯具。
【請求項２】
前記的駒の重りは、前記マットに前記的駒が載置されたときに、前記的駒の上部に位置するように設けられていることを特徴とする請求項１に記載の遊戯具。
【請求項３】
前記的駒の両面の少なくとも一方には図柄が付されていることを特徴とする請求項１または２に記載の遊戯具。
【請求項４】
前記的駒の前記図柄は、数字であることを特徴とする請求項３に記載の遊戯具。
【請求項５】
前記的駒の前記本体は、樹脂製であり、前記的駒の前記重りは、金属製であることを特徴とする請求項１乃至４のいずれかに記載の遊戯具。
【請求項６】
前記的駒の前記重りは、前記本体に対して着脱自在であることを特徴とする請求項１乃至５のいずれかに記載の遊戯具。
【請求項７】
前記投げ駒は、中央部が円環状に形成され、外周部分が、前記中央部よりも厚い円環状に形成されていることを特徴とする請求項１乃至６のいずれかに記載の遊戯具。
【請求項８】
前記投げ駒の両面にはそれぞれ、外方に向けて突出する突出部が、周方向に等間隔で形成されていることを特徴とする請求項７に記載の遊戯具。
【請求項９】
前記投げ駒の側面には、外方に向けて突出する突出部が等間隔で設けられていることを特徴とする請求項７または８に記載の遊戯具。
【考案の詳細な説明】
【０００１】
【考案の属する技術分野】
本考案は、遊戯具に関する。
【０００２】
【従来の技術】
この種の遊戯具としては、例えば、ダーツゲームに用いるダーツおよびボードによって構成される遊戯具が知られている。このダーツゲームでは、先端に針の付いたダーツをボードに向けて投げることにより、ダーツの針をボードに刺し、ボードに刺さったダーツの位置により得点を競っている。
【０００３】
【考案が解決しようとする課題】
しかしながら、上述のダーツには、先端に針がついているので、取り扱いに細心の注意を払う必要があり、手軽に遊び難いという課題がある。
本考案は、上述した事情に鑑みてなされたもので、手軽に遊ぶことができる遊戯具を提供することを目的とする。
【０００４】
【課題を解決するための手段】
請求項１に記載の遊戯具は、シート状のマットと、前記マット上に載置されるとともに両面の中央部がそれぞれ外方に向けて膨出した円盤状に形成された的駒と、前記的駒に向けて投擲されるとともに、ドーナッツ状の投げ駒とを備える遊戯具であって、前記的駒は、本体とこの本体の端部に埋設された重りとを備えていることを特徴とする。
【０００５】
この請求項１に記載の考案では、例えば、マット上の任意の位置に的駒を載置し、投げ駒を的駒に向けて投げ（投擲し）、この投げ駒を的駒に当てて遊ぶ。
このように、投げ駒を的駒に向けて投げて遊ぶのであるが、従来のダーツのように、針が設けられていないので、投げ駒の扱いに細心の注意を払う必要がなく、手軽に遊ぶことができる。
また、投げ駒が投げ易いドーナッツ状に形成されているので、子供や老人等であっても、容易に投げることができる。
また、的駒の本体の端部に重りが埋設されているので、的駒の重心が端部に偏るため、投げ駒を的駒に当てることにより、この的駒に予測困難な挙動をさせることができ、遊戯性（ゲーム性）を向上させることができる。
【０００６】
請求項２に記載の遊戯具は、請求項１に記載の考案において、前記的駒の重りは、前記マットに前記的駒が載置されたときに、前記的駒の上部に位置するように設けられていることを特徴とする。
【０００７】
この請求項２に記載の考案では、請求項１に記載の考案と同様な作用効果を奏するとともに、的駒の重りは、マットに的駒が載置されたときに、的駒の上部に位置するように設けられているので、的駒を反転し難くすることができる。これにより、例えば、的駒を反転させた場合には、高得点を付与する等のルールを設けることにより、遊戯を面白くすることができる。
【０００８】
請求項３に記載の遊戯具は、請求項１または２に記載の考案において、前記的駒の両面の少なくとも一方には図柄が付されていることを特徴とする。
【０００９】
この請求項３に記載の考案では、請求項１または２に記載の考案と同様な作用効果を奏するとともに、的駒の両面の少なくとも一方には、市松柄、巴柄、花や鳥等の絵、または数字等の図柄が付されているので、意匠性を向上させることができる。また、複数個の的駒を用いる際には、各的駒を容易に識別することができる。
【００１０】
請求項４に記載の遊戯具は、請求項３に記載の考案において、前記的駒の前記図柄は、数字であることを特徴とする。
【００１１】
この請求項４に記載の考案では、請求項３に記載の考案と同様な作用効果を奏するとともに、的駒の図柄が数字であるので、的駒を複数個用いる際に、各的駒を確実に識別することができる。また、この的駒の数字を、例えば、本遊戯具を用いた遊戯の点数（得点）等とするようにすることもできる。
【００１２】
請求項５に記載の遊戯具は、請求項１乃至４のいずれかに記載の考案において、前記的駒の前記本体は、樹脂製であり、前記的駒の前記重りは、金属製であることを特徴とする。
【００１３】
この請求項５に記載の考案では、請求項１乃至４のいずれかに記載の考案と同様な作用効果を奏するとともに、的駒の本体が樹脂製であり、的駒の重りが金属製であるので、これらを例えば型成形等により容易に量産することができる。
【００１４】
請求項６に記載の遊戯具は、請求項１乃至５のいずれかに記載の考案において、前記的駒の前記重りは、前記本体に対して着脱自在であることを特徴とする。
【００１５】
この請求項６に記載の考案では、請求項１乃至５のいずれかに記載の考案と同様な作用効果を奏するとともに、的駒の重りが本体に対して着脱自在に設けられるので、重りの交換を容易に行うことができるため、上記重りを重くしたりあるいは軽くしたりすることができ、多種多様な遊戯を行うことができる。
【００１６】
請求項７に記載の遊戯具は、請求項１乃至６のいずれかに記載の考案において、前記投げ駒は、中央部が円環状に形成され、外周部分が、前記中央部よりも厚い円環状に形成されていることを特徴とする。
【００１７】
この請求項７に記載の考案では、請求項１乃至６のいずれかに記載の考案と同様な作用効果を奏するとともに、投げ駒は、中央部が円環状に形成され、外周部分が、中央部よりも厚い円環状に形成されているので、投げ駒を持ったときに、外周部分が指に引っかかるため、投げ駒を持ち易くすることができ、投げ駒をさらに投げ易くすることができる。
【００１８】
請求項８に記載の遊戯具は、請求項７に記載の考案において、前記投げ駒の両面にはそれぞれ、外方に向けて突出する突出部が、周方向に等間隔で形成されていることを特徴とする。
【００１９】
この請求項８に記載の考案では、請求項７に記載の考案と同様な作用効果を奏するとともに、投げ駒の両面にはそれぞれ、外方に向けて突出する突出部が、周方向に等間隔で形成されているので、意匠性が良い。また、上記突出部に指を引っ掛けることができるため、投げ駒をさらに投げ易くすることができる。
【００２０】
請求項９に記載の遊戯具は、請求項７または８に記載の考案において、前記投げ駒の側面には、外方に向けて突出する突出部が等間隔で設けられていることを特徴とする。
【００２１】
この請求項９に記載の考案では、請求項７または８に記載の考案と同様な作用効果を奏するとともに、投げ駒の側面には、外方に向けて突出する突出部が等間隔で設けられているので、意匠性が良い。
【００２２】
【考案の実施の形態】
以下、添付した図面を参照しながら、本考案の実施の形態を詳細に説明する。図１は、本実施の形態にかかる遊戯具を示す図である。
この図１に示すように、遊戯具１は、円形型のシート状のマット３と、マット３上に載置される十個の的駒５と、前記的駒に向けて投擲される六個の投げ駒７とを備えている。なお、図１においては、投げ駒７は、見やすくするために拡大して表しているが、実際には、的駒６よりも少し小さく設けられている。また、本実施の形態では、十個の的駒５および六個の投げ駒７を用いているが、これに限定されず、遊戯者の任意、あるいは遊戯のルールに応じて適宜変更可能である。
【００２３】
マット３の表面には、図示しない人工芝が設けられている。また、マット３の中心部には、中心部であることを示す白点３ａが付されているとともに、この白点３ａを中心とした白色の楕円状の枠線３ｂ、３ｃが付されている。これらの白点３ａ、および枠線３ｂ、３ｃは、各的駒５をマット３上にセットする際の基準となる。
なお、マット３は直径が３０００ｍｍ程度の大きさであるが、マット３の大きさは、これに限定されず、適宜変更可能である。また、本実施の形態では、各的駒５は、ビリヤードのナインボールの玉のように配置されているが、これに限定されず、例えば、白点３ａに、一つの的駒５を置き、他の九個の的駒５を、枠線３ｂ、３ｃに沿ってあるいは枠線３ｂ、３ｃ間に等間隔で並べるなど、遊戯者の任意あるいは、遊戯のルールに応じて適宜変更可能である。
【００２４】
図２（ａ）に示すように、的駒５は、両面の中央部がそれぞれ外方に向けて膨出した円盤状（縦断面形状が楕円状）の本体９と、この本体９の上部に埋設され、本体９と同様な形状の重り１１とから、両面の中央部がそれぞれ外方に向けて膨出した円盤状に形成されている。本体１１は、プラスチック等の合成樹脂により構成されており、重り１３は鉛あるいは合金等の金属により構成されている。また、各的駒５の表面５ａにはそれぞれ、図２（ｂ）に示すように、絵が付されており、各的駒５の表面５ａの図柄はそれぞれ、各的駒５毎に異なっている。また、図２（ｃ）に示すように、各的駒５の裏面５ｂにはそれぞれ、各的駒５毎に順に１〜１０の数字（図２（ｃ〉においては、１０番目の的駒５のみを示した）が付されている。
【００２５】
なお、本実施の形態では、的駒５は、直径が１６０ｍｍ程度で、厚さが４０ｍｍ程度の大きさで、かつその重量が２５０ｇ程度であるが、これに限定されず、その大きさおよび重量は、適宜変更可能である。また、本体１１は、プラスチックに限定されず、例えば、革、木材、あるいはプラスチック以外の合成樹脂（例えば、ゴム等）を用いるようにしても良い。
【００２６】
図１および図３に示すように、投げ駒７は、円環状の外周部分１３と、この外周部分１３の内側に固定され、外周部分１３よりも若干薄い円環状の中央部１５とから、中央に孔７ａが形成されたドーナッツ状に形成されている。外周部分１３は、硬質ゴムで構成されており、中央部１５は、鉛あるいは合金等の金属で構成されている。外周部分１３の周面には、外方に向けて突出するとともに厚み方向に延びる楕円状の突出部１３ａが、等間隔で形成され、外周部分１３の両面にはそれぞれ、外方（図３において上下）に向けて突出する楕円状の突出部１３ｂが、周方向に等間隔で形成されている。また、図３に示すように、外周部分１３において、各突出部１３ｂが形成されている部分の内側にはそれぞれ、鉛あるいは合金等の金属製の埋設部材１７が埋設されている。
【００２７】
なお、本実施の形態では、外周部分１３は、外径が１００ｍｍ程度、内径が２８ｍｍ程度で厚みが２０ｍｍ程度の大きさであり、中央部１５は、外径が２８ｍｍ程度、内径（すなわち孔７ａの直径）が８ｍｍ程度で厚みが１６ｍｍ程度の大きさである。また、外周部分１３の各突出部１３ａは、直径が２０ｍｍ（すなわち、外周部分１３の厚みと同じ）で厚みが８ｍｍ程度の大きさであり、各突出部１３ｂは、直径が２６ｍｍ程度で厚みが８ｍｍ程度の大きさである。すなわち、投げ駒７全体では、外径が１００ｍｍ程度で厚みが２０ｍｍ程度の大きさで、かつその重量が３００ｇ程度であるが、これに限定されず、適宜変更可能である。
【００２８】
上記構成の遊戯具１においては、マット３上に１０個の的駒５を、図１に示すように載置した後、六個の投げ駒７を、順次マット３上のいずれかの的駒５に向けて投げて、的駒５を反転させたり、あるいは枠線３ｂ、３ｃから的駒５を弾き飛ばしたり等して遊ぶ。
【００２９】
このような遊戯具１にあっては、投げ駒７は、従来のダーツのように、針が設けられていないので、この投げ駒７の扱いに細心の注意を払う必要がなく、手軽に遊ぶことができる。
【００３０】
また、投げ駒７が投げ易いドーナッツ状に形成されているので、子供や老人等であっても、容易に投げることができる。さらには、投げ駒５は、中央部１５が円環状に形成され、外周部分１３が、中央部１５よりも厚い円環状に形成されているので、投げ駒５を持ったときに、外周部分１３が指に引っかかるため、投げ駒５を持ち易くすることができ、投げ駒５をさらに投げ易くすることができる。
【００３１】
また、投げ駒５の外周部分１３の側面には、外方に向けて突出する突出部１３ａが等間隔で形成され、外周部分１３の両面にはそれぞれ、外方に向けて突出する突出部１３ｂが、周方向に等間隔で形成されているので、意匠性が良い。また、上記突出部１３ｂに指を引っ掛けることができるため、投げ駒５をさらに投げ易くすることができる。
【００３２】
また、的駒５の本体９の上部に重り１１が埋設されているので、的駒５の重心が偏るため、投げ駒５を的駒９に当てることにより、この的駒５に予測困難な挙動をさせることができ、遊戯性を向上させることができる。しかも、マット３に的駒５が載置されたときに、的駒５の上部に重り１１が位置するので、的駒５を反転し難くすることができる。これにより、例えば、的駒５を反転させた場合には、高得点を付与する等のルールを設けることにより、遊戯を面白くすることができる。
【００３３】
また、的駒５の本体９が樹脂製であり、的駒５の重り１１が金属製であるので、これらを例えば型成形等により容易に量産することができる。
【００３４】
また、的駒５の表面に図柄が付され、裏面に数字が付されているので、意匠性を向上させることができる。また、本実施の形態のように、十個の的駒５を用いる場合には、各的駒５を容易に識別することができる。特に、裏面に付された数字により、各的駒５を正確に識別することができるとともに、この的駒５の数字を、例えば、本遊戯具１を用いた遊戯の点数（得点）等とするようにすることもできる。
【００３５】
本考案は、上述した実施の形態に限定されず、その要旨を逸脱しない範囲内において、種々の変形が可能である。
例えば、本実施の形態では、的駒５の重り１１は、的駒５の上部に設けたが、これに代えて、的駒５の下部あるいは左右端部のいずれかに設けるようにしても良い。要は、重り１１を的駒５の端部に設けて、的駒５の重心を端部に偏らせるようにすれば良い。
【００３６】
また、本実施の形態では、的駒５の両面に絵を付し、裏面に数字を付したが、これに代えて、的駒５の裏面のみに数字を付したりするようにしても良い。要は、的駒５の両面の少なくとも一方に、市松柄、巴柄、花や鳥等の絵、または数字等の図柄を付すようにすれば良い。
【００３７】
また、的駒５の重り１１を、本体９に対して着脱自在に設けるようにしても良い。この場合、重り１１の交換を容易に行うことができるため、例えば、若者が遊戯を行うときには重り１１を重くし、老人や子供が遊戯を行うときには重りを軽くすることができ、多種多様な遊戯を行うことができる。
【００３８】
また、本実施の形態では、円形のマット３を用いたが、これに代えて、例えば、図４に示すように、長方形のマット２０を用いるようにしても良い。なお、マット２０には、図１のマット３と同様な白点３ａと枠線３ｂ、３ｃが付されているとともに、マット２０の長手方向に延びかつ互いに平行な三本のライン２０ａ，２０ｂ，２０ｃが付されており、各ライン２０ａ，２０ｂ，２０ｃにはそれぞれ、矢印も付されている。
また、マットの形状は、上記円形あるいは長方形に限定されず、例えば、三角形、五角形等、適宜変更可能である。
【００３９】
さらには、本実施の形態では、マット３の表面に人工芝が設けられているが、これに限定されず、例えば、マット３の表面にゴム等の抵抗の大きい部材を添付するようにしても良い。
【００４０】
【考案の効果】
請求項１に記載の遊戯具によれば、投げ駒の扱いに細心の注意を払う必要がなく、手軽に遊ぶことができる。また、子供や老人等であっても、投げ駒を容易に投げることができる。さらには、投げ駒を的駒に当てることにより、この的駒に予測困難な挙動をさせることができ、遊戯性を向上させることができる。
【００４１】
請求項２に記載の遊戯具によれば、請求項１に記載の考案と同様な効果を奏するとともに、的駒を反転し難くすることができる。これにより、例えば、的駒を反転させた場合には、高得点を付与する等のルールを設けることにより、遊戯を面白くすることができる。
【００４２】
請求項３に記載の遊戯具によれば、請求項１または２に記載の考案と同様な効果を奏するとともに、意匠性を向上させることができる。また、複数個の的駒を用いる際には、各的駒を容易に識別することができる。
【００４３】
【００４４】
請求項４に記載の遊戯具によれば、請求項３に記載の考案と同様な効果を奏するとともに、的駒を複数個用いる際に、各的駒を確実に識別することができる。また、この的駒の数字を、例えば、本遊戯具を用いた遊戯の点数（得点）等とするようにすることもできる。
【００４５】
請求項５に記載の遊戯具によれば、請求項１乃至４のいずれかに記載の考案と同様な効果を奏するとともに、的駒の本体および重りを容易に量産することができる。
【００４６】
請求項６に記載の遊戯具によれば、請求項１乃至５のいずれかに記載の考案と同様な効果を奏するとともに、重りの交換を容易に行うことができるため、この重りを重くしたりあるいは軽くしたりすることができ、多種多様な遊戯を行うことができる。
【００４７】
請求項７に記載の遊戯具によれば、請求項１乃至６のいずれかに記載の考案と同様な効果を奏するとともに、投げ駒を持ち易くすることができ、投げ駒をさらに投げ易くすることができる。
【００４８】
請求項８に記載の遊戯具によれば、請求項７に記載の考案と同様な効果を奏するとともに、投げ駒の両面にはそれぞれ突出部が周方向に等間隔で形成されているので、意匠性を良くすることができるとともに、この突出部に指を引っ掛けることができるため、投げ駒をさらに投げ易くすることができる。
【００４９】
請求項９に記載の遊戯具によれば、請求項７または８に記載の考案と同様な効果を奏するとともに、投げ駒の側面に突出部が等間隔で設けられているので、意匠性を良くすることができる。
【図面の簡単な説明】
【図１】本考案の実施の形態に係る遊戯具を示す図である。
【図２】図１の的駒を示す図であって、（ａ）は的駒の縦断面図、（ｂ）は的駒の平面図、（ｃ）は的駒の底面図である。
【図３】図１の投げ駒のＡ−Ａ線に沿う縦断面図である。
【図４】本考案の変形例に係る遊戯具のマットを示す図である。
【符号の説明】
１　　　　遊戯具
３、２０　マット
５　　　　的駒
７　　　　投げ駒
９　　　　本体
１１　　　重り
１３　　　外周部分
１３ａ、１３ｂ　突出部
１５　　　中央部
【図１】
0003097039.tif 000003
【図２】
0003097039.tif 000004
【図３】
0003097039.tif 000005
【図４】
0003097039.tif 000006